(57)【要約】【課題】リモコン１にはマイコン制御部４が内蔵されており、このマイコン制御部４で計時し、計時された時刻データによって時刻表示部４２に時刻を表示させる。時刻データが実際の時刻からずれると手動で時刻データを修正しなければならなかった。【解決手段】給湯装置に接続され、この給湯装置の作動を制御するリモコンであって、計時手段とこの計時手段によって計時された時刻を表示する時刻表示部とを備えたものにおいて、外部から自動的に正確な時刻データを取得し、上記計時手段で計時される時刻を正確な時刻に補正する時刻補正手段を設け、自動的に時刻データを修正するようにした。【選択図】  図２
2005134042.tif 000002
【特許請求の範囲】
【請求項１】
給湯装置に接続され、この給湯装置の作動を制御するリモコンであって、計時手段とこの計時手段によって計時された時刻を表示する時刻表示部とを備えたものにおいて、外部から自動的に正確な時刻データを取得し、上記計時手段で計時される時刻を正確な時刻に補正する時刻補正手段を備えたことを特徴とするリモコン。
【請求項２】
上記時刻補正手段は日本標準時を示す標準電波を受信する受信部を有していることを特徴とする請求項１に記載のリモコン。
【請求項３】
上記時刻補正手段はインターネットに接続可能であって、インターネットを介してタイムサーバにアクセスし時刻データを取得することを特徴とする請求項１に記載のリモコン。
【発明の詳細な説明】
【技術分野】
【０００１】
本発明は、給湯装置に接続され、この給湯装置の作動を制御するリモコンであって、計時手段とこの計時手段によって計時された時刻を表示する時刻表示部とを備えたものに関する。
【背景技術】
【０００２】
給湯装置には給湯装置の制御を行うリモコンが接続されている。例えばメインリモコンとして台所に台所リモコンが設置され、そのほか浴室に風呂リモコンが設置されている。メインリモコンには計時手段とこの計時手段によって計時された時刻を表示する時刻表示部とが備えられており、さらに時刻をセットするスイッチもあわせて設けられている。また、メインリモコンである台所リモコンで計時された時刻データは一旦給湯装置に送られ、風呂リモコンへは給湯機器から時刻データが送信される。したがって、メインリモコンである台所リモコンの時刻データと風呂リモコンの時刻データとは同期することになる。
【０００３】
この台所リモコンに内蔵されたＣＰＵが暴走すると自動的にＣＰＵをリセットするウオッチドッグタイマが台所リモコンに設けられており、ＣＰＵがリセットされると時刻データもあわせてリセットされる。そこで、給湯装置はリセット前に送信された時刻データを記憶しておき、台所リモコンがリセットされると給湯装置から時刻データを読み出し、自動的に台所リモコンの時刻データを正常な時刻にセットするものが知られている（特許文献１参照）。
【０００４】
なお、このリモコンでの時刻表示は給湯装置が運転状態であるか休止状態であるにかかわらず機能しており、常に時刻が表示されている（特許文献２参照）。
【特許文献１】特開２０００−２９２００３号公報（請求項１）
【特許文献２】特開平１１−２３７１１７号公報（請求項４及び段落００１４）
【発明の開示】
【発明が解決しようとする課題】
【０００５】
上記従来のリモコンでは、給湯装置が休止状態になりリモコンへの操作を行わない状態でも計時手段を常に作動させておく必要があり、そのためリモコンへ常に電力を供給しなければならない。また、リモコンのＣＰＵがリセットされた場合に給湯装置から時刻データをロードして時刻表示を復帰させることはできても、例えば停電により給湯装置側のＣＰＵも停止した場合には、正確な時間表示に復帰させることはできない。なお、停電時に時刻データが消去されないようにリモコン側にバックアップ用の大型コンデンサを内蔵させることも考えられるが、コストがアップするばかりか、１０数分程度の時間しかバックアップすることができない。
【０００６】
更に、たとえ時刻データが消失しなくてもリモコンでの時刻データは計時手段の誤差のため実際の時刻からずれていき、最終的には手動操作により時刻データを修正する必要が生じる。
【０００７】
そこで本発明は、上記の問題点に鑑み、上記の不具合を解消することのできるリモコンを提供することを課題とする。
【課題を解決するための手段】
【０００８】
上記課題を解決するために本発明によるリモコンは、給湯装置に接続され、この給湯装置の作動を制御するリモコンであって、計時手段とこの計時手段によって計時された時刻を表示する時刻表示部とを備えたものにおいて、外部から自動的に正確な時刻データを取得し、上記計時手段で計時される時刻を正確な時刻に補正する時刻補正手段を備えたことを特徴とする。
【０００９】
上記構成によれば、外部から自動的に正確な時刻データを取得できるので、給湯装置が休止状態になればリモコンの作動も停止させ、計時手段を作動させ続けなくてもよくなる。給湯装置が作動状態になればリモコンも作動状態に復帰するが、その時点で正確な時刻データを取得し、計時手段をリセットすれば直ちに正確な時刻を表示させることができる。また、計時手段による時刻データが誤差のため実際の時刻からずれても、外部から取得した時刻データで計時手段の時刻データを補正することができる。
【００１０】
なお、上記時刻補正手段は日本標準時を示す標準電波を受信する受信部を有しており、あるいは、上記時刻補正手段はインターネットに接続可能であって、インターネットを介してタイムサーバにアクセスし時刻データを取得するようにしてもよい。
【発明の効果】
【００１１】
以上の説明から明らかなように、本発明は、自動的に外部から正確な時刻データを取得できるようにしたので、給湯装置が休止状態の場合にはリモコンも休止状態にすることができ、また時刻データを手動で補正する煩わしさがなく、さらに、時刻設定用のスイッチ類をリモコンに設ける必要が無くなる。
【発明を実施するための最良の形態】
【００１２】
図１を参照して、１は台所３に設置されている台所リモコンである。この台所リモコン１は通信線１１を介して給湯装置２に接続されている。給湯装置２は台所３の外側に設置されており、台所リモコン１を介して給湯装置２の作動を制御できるように構成されている。なお、図示しないが浴室が設置されている場合には浴室内に風呂リモコンが取り付けられており、その風呂リモコンも通信線１１を介して給湯装置２及び台所リモコン１に通信可能状態で接続されている。
【００１３】
図２を参照して、この台所リモコン１内にはマイコン制御部４が内蔵されている。このマイコン制御部４はインターフェイス４１を介して給湯装置２の制御ユニットと相互に通信を行う。また、このマイコン制御部４にはセラミック発振子を用いた計時手段が備えられている。この計時手段はセラミック発振子から出力される信号をカウントし時刻データを生成するものである。
【００１４】
マイコン制御部４の計時手段から出力される時刻データによって時刻表示部４２に時刻が表示される。この台所リモコン１には更に時刻補正手段である標準電波受信部５が内蔵されている。アンテナ５１で受信された標準電波は標準電波受信部５に入力される。そして標準電波受信部５は受信された標準電波から時刻データを抽出し、マイコン制御部４に出力する。
【００１５】
マイコン制御部４はこの時刻データが入力されると、計時手段をこの時刻データでリセットし、計時手段が生成する時刻データが標準電波受信部５からの時刻データに一致するように補正する。その結果、時刻表示部４２には正確な時刻が表示される。
【００１６】
ところで、標準電波受信部５から補正用の時刻データを出力するタイミングは予め設定されており、例えば１日に１回程度でよい。また、マイコン制御部４がリセットされた場合や停電状態から復帰した場合のように、マイコン制御部４内の計時手段がリセットされた場合には、マイコン制御部４は上記のリセットタイミングに関係なく直ちに標準電波受信部５に対して補正用の時刻データを要求する。標準電波受信部５はこの要求に応じて直ちに補正用の時刻データを出力するので、マイコン制御部４が復帰すると直ちに時刻表示部４２には正確な時刻が表示される。
【００１７】
ところで、上記形態では標準電波を受信して計時手段が生成する時刻データを補正したが、たとえばインターネットに接続することのできる通信装置を台所リモコン１内に設け、インターネットを介してタイムサーバにアクセスし、タイムサーバから時刻データを取得して補正用の時刻データを生成するようにしてもよい。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】浴室リモコンの構成を示すブロック図
【符号の説明】
【００２０】
１ 台所リモコン
２ 給湯装置
３ 台所
４ マイコン制御部
５ 標準電波受信部
１１ 通信線
４１ インターフェイス
４２ 時刻表示部
５１ アンテナ
【図１】
2005134042.tif 000003
【図２】
2005134042.tif 000004